(57)【要約】【課題】自動体外式除細動器を搭載した自動販売機のコストを低減することができ、保守点検を容易に行うことが可能な自動販売機を提供する。【解決手段】断熱筐体として形成された本体キャビネット１の前面に開閉自在に設けられた外扉２と、この外扉２に自動体外式除細動器を収容するＡＥＤ収納部を形成するとともにこのＡＥＤ収納部を開閉する小扉１０を設け、常時では投入金額などを表示する表示器および常時では悪戯に対して警告する防盗ブザーを備えた自動販売機であって、小扉１０が解放されて自動体外式除細動器が取り出された際には前記表示器および防盗ブザーを、自動体外式除細動器が使用される緊急事態を警報する警報報知手段として利用する。【選択図】図１
2008102799.tif 000002
【特許請求の範囲】
【請求項１】
断熱筐体として形成された本体キャビネットの前面に開閉自在に設けられた外扉と、この外扉に設置された自動体外式除細動器と、商品の販売を制御するとともに表示器および防盗ブザーを制御する制御装置とを備えた自動販売機において、前記表示器および防盗ブザーを自動体外式除細動器の警報報知手段としたことを特徴とする自動販売機。
【請求項２】
請求項１に記載の自動販売機において、外扉に設置された自動体外式除細動器を閉塞する小扉を有し、この小扉の開閉を検出する検知手段の作動に基づいて表示器および防盗ブザーを起動することを特徴とする自動販売機。
【請求項３】
請求項１に記載の自動販売機において、制御装置は音声にてメッセージを発する音声報知手段を有し、小扉の開閉を検知する検知手段の作動に基づいて音声報知手段により緊急状態を報知することを特徴とする自動販売機。
【発明の詳細な説明】
【技術分野】
【０００１】
この発明は、本体キャビネットの商品収納庫内に収容された商品を販売する自動販売機に係り、特に自動体外式除細動器を搭載した自動販売機に関する。
【背景技術】
【０００２】
本体キャビネットの商品収納庫内に清涼飲料などの商品を収容し、貨幣の投入に応じて庫内の商品を販売する自動販売機は全国に普及して津々浦々に設置されている。一方、増加傾向にある心臓疾患に伴う心拍動の停止に対して自動体外式除細動器（以下、ＡＥＤとも言う）を用いた心拍動の蘇生が有効な処置として知られている。心臓疾患に伴う心拍動の停止は時と場所を選ばないことから全国に普及している自動販売機に自動体外式除細動器を搭載して心拍動の蘇生を行うようにしたものが知られている（例えば、特許文献１）。
【０００３】
前述した自動体外式除細動器を搭載した自動販売機においては、自動販売機の外扉にＡＥＤ収納部を設けるとともにこのＡＥＤ収納部の前面にＡＥＤ扉を設けている。また、前記ＡＥＤ扉の開閉を検知するマイクロスイッチおよびＡＥＤ収納部に格納された自動体外式除細動器の取出しを検知するマイクロスイッチを備え、当該マイクロスイッチの動作に基づいて警報装置（警報ブザー，警報ランプ）を起動することによって周囲に緊急状態を報知し、また、当該自動販売機が設置された管轄消防署に緊急通報を行うように構成されている。なお、前記警報ブザー，警報ランプ，緊急通報などの警報報知手段に対して自動体外式除細動器の取扱いについては自動体外式除細動器の蓋を開けると操作ガイダンスが表示される。
【０００４】
【特許文献１】実用新案登録第３１２５３０４号公報
【発明の開示】
【発明が解決しようとする課題】
【０００５】
ところで、従来の自動体外式除細動器を搭載した自動販売機においては、商品を販売する自動販売機に自動体外式除細動器が付加されているにすぎない。すなわち、商品を販売する自動販売機と救急救命の自動体外式除細動器とはそれぞれ機能が異なることから自動販売機の制御装置と自動体外式除細動器の警報装置とは別系統に構成されて自動販売機に自動体外式除細動器が付加されている。このように制御装置と警報装置が別系統として設けられているため、自動販売機の制御装置には防盗ブザーや表示器が備えられているにも係らずこれとは別個に自動体外式除細動器の警報装置（警報ブザーや警報ランプ）が設けられている。このため、自動販売機はただ単に自動体外式除細動器の設置場所として使用されているのみで、自動体外式除細動器の分だけ自動販売機の費用が嵩む。また、それぞれの制御装置と警報装置は別系統に構成されていることから自動販売機の保守点検を行うルートマンとは別個に自動体外式除細動器の保守点検を行うメンテナンス要員を必要とする。この場合、メンテナンス要員を削減するため自動販売機のルートマンに自動体外式除細動器の保守点検を行わせるようにすると自動販売機のルートマンの負担が増大してしまうという問題を有する。
【０００６】
本発明は上記の点に鑑みなされたものであり、その目的は前記課題を解決し、自動体外式除細動器を搭載した自動販売機のコストを低減することができ、保守点検を容易に行うことが可能な自動販売機を提供することにある。
【課題を解決するための手段】
【０００７】
上記目的を達成するために本発明によれば、断熱筐体として形成された本体キャビネットの前面に開閉自在に設けられた外扉と、この外扉に設置された自動体外式除細動器と、商品の販売を制御するとともに表示器および防盗ブザーを制御する制御装置とを備えた自動販売機において、前記表示器および防盗ブザーを自動体外式除細動器の警報報知手段としたことを特徴とする（請求項１）。
【０００８】
また、本発明によれば、外扉に設置された自動体外式除細動器を閉塞する小扉を有し、この小扉の開閉を検出する検知手段の作動に基づいて表示器および防盗ブザーを起動することができ（請求項２）、さらに、制御装置は音声にてメッセージを発する音声報知手段を有し、小扉の開閉を検知する検知手段の作動に基づいて音声報知手段により緊急状態を報知するようにすることができる（請求項３）。
【発明の効果】
【０００９】
前述したように構成された請求項１にかかる発明によれば、通常の自動販売機の販売動作時には表示器に投入金額やコマーシャルを表示し、また、自動販売機に対する悪戯に対して防盗ブザーを作動させて悪戯を抑止し、自動体外式除細動器が使用される緊急時には表示器および防盗ブザーを緊急事態警報用として兼用することができるので、自動販売機のコストを低減することができ、また、自動販売機のルートマンによる保守点検も自動体外式除細動器専用の警報装置を保守点検する場合に比してその負荷を軽減することができる。
【００１０】
また、請求項２に係る発明のように、外扉に設置された自動体外式除細動器を閉塞する小扉を有し、この小扉の開閉を検出する検知手段の作動に基づいて表示器および防盗ブザーを起動することによって、緊急事態の場合には直ちに表示器および防盗ブザーを起動して周囲に警報することができる。さらに、請求項３に係る発明のように、制御装置は音声にてメッセージを発する音声報知手段を有し、小扉の開閉を検知する検知手段の作動に基づいて音声報知手段により緊急状態を報知することにより、表示器や防盗ブザーによる緊急事態の報知に加えて音声によっても緊急事態を周囲に警報することができる。
【発明を実施するための最良の形態】
【００１１】
以下、本発明の実施の形態を図面に基づいて説明する。図１は本発明の自動体外式除細動器を搭載した自動販売機の正面図であり、図２は図１の外扉を開放した斜視図であり、図３は自動販売機の制御ブロック図であり、図４は自動販売機の動作フローチャートである。
【００１２】
図１は自動販売機として一般的な缶飲料，ペットボトルなどの商品を販売する自動販売機に自動体外式除細動器を搭載した構成を示し、図１において１は断熱材で囲まれた庫内に缶飲料，ペットボトルなどを格納した本体キャビネット、２は本体キャビネット１の前面にヒンジ２ａにより開閉自在に装着された外扉、３は外扉２の前面上面域に画成され、本体キャビネット１の庫内に格納した商品の商品見本４を陳列して展示するディスプレイ室、５は硬貨投入口，返却レバーなどを配備した操作パネル、６は紙幣投入口、７は投入金額などの表示器、８は商品取出口、９は釣銭返却口であり、１０は自動体外式除細動器を収納するＡＥＤ収納部１１（図２参照）の前面を閉塞するとともに、図１において左端側をヒンジにより片開き式に支持されて開閉自在に設けられた小扉である。なお、１０ａは小扉１０に設けた把手である。
【００１３】
前記ディスプレイ室３は外扉２に設けた透明板３１と外扉２の背面に設けた中扉２０の間に画成され、中扉２０には商品見本４を展示するディスプレイ台（不図示）が取付けられている。前記ディスプレイ室３の前面を覆う透明板３１には各商品見本４に対応して設けられた商品選択ボタンを備えた商品選択ボタンユニット２２が配設されている。また、外扉２のヒンジ２ａと反対側にはシリンダー錠付きのハンドル２３が組付けられている。
【００１４】
図２は図１の自動販売機の外扉２を開放した斜視図であり、図において、１で再び本体キャビネットを示し、前記本体キャビネット１の断熱材で囲まれた商品収納庫内は（一般的な缶飲料，ペットボトルなどの商品を販売する自動販売機では庫内を３室に区画されることから）２枚の断熱仕切板１０１により左右方向に複数の商品収納室１０２，１０３，１０４に区画されている。各商品収納室１０２，１０３，１０４には、缶飲料、ペットボトル飲料などの商品を収容するとともにその下端に商品を搬出する商品払出機構を有する商品収納ラック１０５（この例ではサーペンタイン式と呼ばれる蛇行した商品通路を有する商品収納ラック）がそれぞれ収設され、また、各商品収納室１０２，１０３，１０４から払い出された商品を搬出するシューター１０６の背後には、それぞれの商品収納室１０２，１０３，１０４を冷却もしくは加熱して商品収納ラックに収納した商品を冷蔵（コールド）・温蔵（ホット）状態に保存する冷却／加熱ユニット若しくは冷却ユニットが配設されている。本体キャビネット１の底壁１ａの下部は機械室として形成され、この機械室には前記冷却／加熱ユニットの冷却ユニットと冷凍サイクルを構成する冷凍機のコンデンシングユニットが配設されている。なお、冷却ユニットのみが配設された商品収納室はコールド専用室、冷却／加熱ユニットが配設された商品収納室はホット／コールド室に兼用されている。
【００１５】
また、図２において２１は本体キャビネット１における商品収納庫の前面を閉塞する内扉であり、この例では内扉が上下に分割されており、上部の内扉２１は外扉２に一体的に取付けられ、下部の内扉２１は図において左端側を外扉にヒンジ結合されている。また、各商品収納室１０２，１０３，１０４の下部に配置されたシューター１０６と外扉２の商品取出口８とを連係するように下部の内扉２１には商品搬出口が開口され、この商品搬出口には閉塞する商品搬出扉２１ａが設けられている。この商品搬出扉２１ａは上端を軸支されて揺動自在に構成され、常時（販売待機時）商品搬出口を閉塞しており、販売時にシューター１０６を介して商品取出口８に送出される商品により押し開かれるように形成されている。さらに、前記外扉２の背面には、硬貨処理装置５１および紙幣処理装置６１が組付けられ、硬貨処理装置５１および紙幣処理装置６１に並べてＡＥＤ収納部１１が設けられている。
【００１６】
前記ＡＥＤ収納部１１には自動体外式除細動器が収容されている。このＡＥＤ収納部１１の前面が図１に示す小扉１０で閉塞されている。前記ＡＥＤ収納部１１には小扉１０の開閉を検出する検知手段としてのマイクロスイッチＳＷ１（図３参照）が配設されるとともに、自動体外式除細動器が収容されていることを検出するマイクロスイッチＳＷ２（図３参照）が配設されている。なお、図２において、１２は自動販売機の本体制御部（制御装置）であり、その本体制御部１２を含む制御ブロック図を図３に示す。
【００１７】
次に、図３を用いて自動販売機の本体制御部１２を含む制御ブロック図について説明する。
図に示すように、この自動販売機は本体制御部１２に接続された貨幣識別機構１２１、商品払出機構１２２、冷温制御部１２３、蛍光灯制御部１２４、リモコンボックスの設定用キーボード１２５、商品選択ボタン１２６、マイクロスイッチＳＷ１，ＳＷ２、表示器７、防盗ブザー１３およびスピーカー１４などからなる。 なお、ＳＷ３は自動販売機に内蔵された振動検知センサである。
【００１８】
前記本体制御部１２は、自動販売機の全体制御を司る制御装置であり、常時は自動販売機の販売制御を行い、自動体外式除細動器が使用される緊急時には周囲に緊急状態を報知する制御を行う。貨幣識別機構１２１は、硬貨投入口または紙幣投入口６（図１）に投入された硬貨または紙幣の正偽並びに金種を識別して正貨の場合に金種信号を本体制御部１２に送信する機構であり、商品払出機構１２２は、商品選択ボタン１２６により選択された商品を庫内の商品収納ラック１０６から切り出して払い出す機構である。冷温制御部１２３は、冷却／加熱ユニットを起動・停止して自動販売機の庫内に収納した商品の温度が所定の温度となるように温度制御する制御部であり、蛍光灯制御部１２４は、ディスプレイ室３の蛍光灯の点灯・消灯を制御する制御部である。設定用キーボード１２５は、表示器７を用いて商品価格などの各種設定をおこなう入力デバイスである。
【００１９】
前記商品選択ボタン１２６は、図１に示した商品選択ボタンユニット２２に設けられ、押下操作された場合に本体制御部１２に対して商品選択信号を送出する。マイクロスイッチＳＷ１はＡＥＤ収納部１１の前面を閉塞する小扉１０の開閉を検出して本体制御部１２に小扉１０の開閉信号を送出し、マイクロスイッチＳＷ２はＡＥＤ収納部１１内への自動体外式除細動器の収容状態を検出して本体制御部１２に小扉１０の開閉信号を送出する。振動センサＳＷ３は自動販売機の振動（例えば、悪戯により自動販売機を破壊する行為による振動）を検出して本体制御部１２に振動検知信号を送出する。防盗ブザー１３は振動センサＳＷ３からの振動検知信号に基づいて本体制御部１２からの信号により警報音を発して自動販売機の破壊や悪戯を抑止する。また、スピーカー１４は商品の購入操作のガイドやコマーシャルあるいは悪戯に対して警告を音声により報知する。
【００２０】
かかる構成で、本体制御部１２には図４に示すゼネラルフローチャートに示す制御プログラムが格納されている。すなわち、電源が投入されるとステップＳ１でマイクロスイッチＳＷ１からの入力状態を判定し、マイクロスイッチＳＷ１がオフ（小扉１０が閉じられている状態）の場合にはステップＳ２に進み、マイクロスイッチＳＷ１がオン（小扉１０が開けられた状態）の場合にはステップＳ６に進む（ステップＳ６については後述する）。ステップＳ２では振動センサＳＷ３からの入力状態を判断し、振動センサＳＷ３がオフ（悪戯されていない状態）の場合にはステップＳ３に進み、振動センサＳＷ３がオン（悪戯されている状態）の場合にはステップＳ７に進む。このステップＳ７では防犯ブザー１３を鳴動させるとともにスピーカー１４から警告を発して悪戯を抑止する。
【００２１】
前記ステップＳ３では貨幣の投入の有無（貨幣識別機構１２１から金種信号の有無）を判定し、貨幣の投入がない場合にはステップＳ４を介してステップＳ１に戻る。ステップＳ３からステップＳ４を介してステップＳ１に戻って循環する経路は自動販売機における販売待機モードであり、この販売待機モード時には図２に示した前記商品搬出扉２１ａが断熱内扉２１に開口した商品搬出口を閉塞しており、庫内の商品を冷却してコールド商品として販売する商品収納室の場合には商品搬出口から庫内に外気が侵入するのを防ぎ、庫内の商品を加熱してホット商品として販売する商品収納室の場合には商品搬出口から庫内の暖気が流出するのを防いでいる。そして、ステップＳ４ではスピーカー１４からコマーシャルや自動体外式除細動器が搭載されていることを音声（例えば、この自動販売機には自動体外式除細動器を搭載しています。自動体外式除細動器を利用するには小扉を開けて自動体外式除細動器を取り出して下さい、など）にて報知する。
【００２２】
前記ステップＳ３で貨幣の投入が検出された場合（貨幣識別機構１２１から金種信号が入力している場合）にはステップＳ５に進んで販売動作を実行する。このステップＳ３からＳ５に移行すると販売動作モードに入り、投入貨幣の金額が商品販売価格と一致または上回ると商品販売可能ランプ（不図示）を点灯し、これに基づいて商品選択ボタン１２６が操作されると、対応する（商品収納ラック１０５の下端に組付けられた）商品払出機構１２２を作動して商品収納ラック１０５から商品を切り出す。商品収納ラック１０５から切り出された商品はシューター１０６に落下して滑落し、断熱内扉２１の商品搬出口を閉塞する商品搬出扉２１ａを押し開いて外扉２の商品取出口８に送出される。そして、釣銭が必要な場合には釣銭が硬貨返却口９に払い出される。ステップＳ５にて販売動作が実行されるとステップＳ１に戻る。
なお、ステップＳ５の過程で表示器７には投入金額や釣銭金額などが表示され、また、スピーカー１４からは購入操作の手順が音声にてガイドされる。
【００２３】
一方、ステップＳ１でマイクロスイッチＳＷ１がオン（小扉１０が開けられた状態）と判定された場合にはステップＳ６に進む。ステップＳ１でマイクロスイッチＳＷ１がオンと判定されると自動体外式除細動器が自動販売機から取り出される緊急状態であることを示しているので、ステップＳ６では表示器７を点滅させるとともに防盗ブザー１３を鳴動させ、かつスピーカー１４から自動体外式除細動器の初期操作方法を音声（自動体外式除細動器の蓋を開けてスイッチを入れて下さい。自動体外式除細動器の操作方法は蓋の裏面に表示されております。その操作ガイダンスに従って操作して下さい、など）にて報知する。また、自動販売機に通信手段が備えられている場合には当該自動販売機が設置された管轄消防署に緊急事態が発生したことを通報することもできる。
【００２４】
前述したように、自動販売機に元々装備されている表示器７および防盗ブザー１３若しくはスピーカー１４を自動体外式除細動器の警報報知手段とすることによって自動体外式除細動器専用の警報報知手段を設ける必要がなくなるのでコストの低減を図ることができる。また、自動販売機に精通したルートマンによる保守点検も元々自動販売機に装備されている表示器７や防盗ブザー１３若しくはスピーカー１４をメンテナンスすることによって自動体外式除細動器の警報報知手段のメンテナンスをも実行することとなる。従って、自動体外式除細動器が搭載されていることによりルートマンに掛かる負担は自動体外式除細動器に内蔵された蓄電池の確認や交換のみとなることからルートマンの負担を軽減することができる。
【００２５】
また、外扉２に設置された自動体外式除細動器を閉塞する小扉１０を有し、この小扉１０の開閉を検出する検知手段（マイクロスイッチＳＷ１）の作動に基づいて表示器７および防盗ブザー１３若しくはスピーカー１４を起動することによって、通常時は投入金額などを表示する表示器７および悪戯を抑止する防盗ブザー１３若しくは購入操作ガイダンスを音声にて行うスピーカー１４を直ちに起動して周囲に緊急事態を報知することができる。
【００２６】
なお、前述した実施の形態では音声にて購入操作ガイダンスを行うスピーカー１４を備えた自動販売機について説明したが、スピーカーを装備していない自動販売機にあっては表示器７および防盗ブザー１３により緊急事態を報知するものであることは言うまでもない。
【００２７】
また、前述した実施の形態では小扉１０の開閉を検出する検知手段（マイクロスイッチＳＷ１）の信号を本体制御部１２に取り込んで警報を行うものについて説明したが、万が一にも本体制御部１２がダウンした場合に対処するため、小扉１０の開閉を検出する検知手段（マイクロスイッチＳＷ１）の信号により直接防盗ブザー１３を鳴動させるように構成することもできる。
【００２８】
次に、図５は本発明の異なる実施の形態を示す自動体外式除細動器を搭載した自動販売機の正面図であり、図１に示す実施の形態と同一のものには同一の符号を付してその説明は省略する。
図５に示す実施の形態が図１に示すものと相違する点は表示器７に加えて電光表示板７０を新たに付加したものである。この電光表示板７０は自動販売機の外扉２の天面に設置されている。電光表示板７０は縦横に配列された複数のＬＥＤとＬＥＤ駆動部とからなり、自動販売機の本体制御部１２に追加装備された表示すべき文字・図形データを記憶したフラッシュＲＯＭのデータに基づいて制御される。すなわち、フラッシュＲＯＭに格納されたデータによってＬＥＤ駆動部が駆動され、これにより複数のＬＥＤを点灯制御することによりコマーシャルやロゴタイプが表示される。この電光表示板７０は通常時には自動販売機のコマーシャルやロゴタイプ、または自動体外式除細動器を搭載していることを表示（例えば、自動体外式除細動器を搭載しています。自動体外式除細動器の利用時は小扉を開けて自動体外式除細動器を取り出して下さい、など）し、小扉１０が解放された場合（図３のマイクロスイッチＳＷ１がオンした場合）には自動体外式除細動器の初期操作方法を文字で表示（自動体外式除細動器の蓋を開けてスイッチを入れて下さい。自動体外式除細動器の操作方法は蓋の裏面に表示されております。その操作ガイダンスに従って操作して下さい、など）させる。
なお、この実施の形態では電光表示板７０を外扉２の天面に設置した場合について説明したが、電光表示板７０の設置場所はこれに限るものではなく、例えばディスプレイ室３の内部に設置するか、または小扉１０に近接した位置に設置することもできる。
【図面の簡単な説明】
【００２９】
【図１】本発明の実施の形態を示す自動体外式除細動器を搭載した自動販売機の正面図である。
【図２】図１の自動販売機の外扉２を開放した斜視図である。
【図３】図１の自動販売機の制御ブロック図である。
【図４】図１の自動販売機の動作フローチャートである。
【図５】本発明の異なる実施の形態を示す自動体外式除細動器を搭載した自動販売機の正面図である。
【符号の説明】
【００３０】
１    本体キャビネット
２    外扉
７    表示器
１０    小扉
１１    ＡＥＤ収納部
１３    防犯ブザー
１４    スピーカー
７０    電光表示板
【図１】
2008102799.tif 000003
【図２】
2008102799.tif 000004
【図３】
2008102799.tif 000005
【図４】
2008102799.tif 000006
【図５】
2008102799.tif 000007